(57)【要約】【課題】効率良くプレビュー表示の高速化を図ることができる情報処理装置、プログラムおよびプレビュー画像表示方法を提供する。【解決手段】表示パネル１５ｂに表示されているプレビュー画像に対する処理を受け付けた場合、当該プレビュー画像に対して受け付けた処理を施した結果を仮想的に示す簡易的な（仮想的な）プレビュー画像を簡易プレビュー生成部１５ｃで生成して表示パネル１５ｂに高速に表示し、表示パネル１５ｂに表示されている簡易的な（仮想的な）プレビュー画像は、画像データに対して受け付けた処理を施した結果であるプレビュー画像が生成された後に、当該プレビュー画像に置き換える。これにより、最初に処理の軽い方式でプレビュー表示を高速に行い、時間のかかる詳細なプレビュー表示に後で置き換えることにより、効率良くプレビュー表示の高速化を図ることができる。【選択図】        図３
2007185946.tif 000002
【特許請求の範囲】
【請求項１】
画像データに対して各種処理を施した結果を示していて表示手段に表示されているプレビュー画像に対する各種処理を受け付ける機能設定受付手段と、
前記プレビュー画像に対する処理を受け付けた場合、受け付けた処理を当該プレビュー画像に対して施した簡易プレビュー画像を生成する簡易プレビュー生成手段と、
生成された前記簡易プレビュー画像を前記表示手段に表示する簡易プレビュー表示手段と、
前記プレビュー画像に対する処理を受け付けた場合、受け付けた処理を前記画像データに対して施したプレビュー画像を生成するプレビュー生成手段と、
前記プレビュー画像が生成された後に、前記表示手段に表示されている前記簡易プレビュー画像を当該プレビュー画像に置き換える画像置き換え手段と、
を備えることを特徴とする情報処理装置。
【請求項２】
前記簡易プレビュー生成手段は、操作表示部のＣＰＵ（Central Processing Unit）を使用したソフトウェア処理により実現される、
ことを特徴とする請求項１記載の情報処理装置。
【請求項３】
前記簡易プレビュー生成手段は、装置全体の制御を行うシステム制御部のＣＰＵ（Central Processing Unit）を使用したソフトウェア処理により実現される、
ことを特徴とする請求項１記載の情報処理装置。
【請求項４】
前記簡易プレビュー生成手段による前記簡易プレビュー画像の生成を中止する簡易プレビュー生成中止手段を備える、
ことを特徴とする請求項１ないし３の何れか一記載の情報処理装置。
【請求項５】
前記簡易プレビュー生成中止手段は、前記簡易プレビュー画像の生成の中止を宣言する中止宣言手段のオフ／オンに応じて、前記簡易プレビュー画像の生成を行うか中止するかを決定する、
ことを特徴とする請求項４記載の情報処理装置。
【請求項６】
前記簡易プレビュー生成中止手段は、前記機能設定受付手段により受け付けた前記プレビュー画像に対する処理内容に応じて、前記簡易プレビュー画像の生成を行うか中止するかを決定する、
ことを特徴とする請求項４記載の情報処理装置。
【請求項７】
画像データに対して各種処理を施した結果を示していて表示機能に表示されているプレビュー画像に対する各種処理を受け付ける機能設定受付機能と、
前記プレビュー画像に対する処理を受け付けた場合、受け付けた処理を当該プレビュー画像に対して施した簡易プレビュー画像を生成する簡易プレビュー生成機能と、
生成された前記簡易プレビュー画像を前記表示機能に表示する簡易プレビュー表示機能と、
前記プレビュー画像に対する処理を受け付けた場合、受け付けた処理を前記画像データに対して施したプレビュー画像を生成するプレビュー生成機能と、
前記プレビュー画像が生成された後に、前記表示機能に表示されている前記簡易プレビュー画像を当該プレビュー画像に置き換える画像置き換え機能と、
をコンピュータに実行させることを特徴とするプログラム。
【請求項８】
前記簡易プレビュー生成機能による前記簡易プレビュー画像の生成を中止する簡易プレビュー生成中止機能を前記コンピュータに実行させる、
ことを特徴とする請求項７記載のプログラム。
【請求項９】
前記簡易プレビュー生成中止機能は、前記簡易プレビュー画像の生成の中止を宣言する中止宣言手段のオフ／オンに応じて、前記簡易プレビュー画像の生成を行うか中止するかを決定する、
ことを特徴とする請求項８記載のプログラム。
【請求項１０】
前記簡易プレビュー生成中止機能は、前記機能設定受付機能により受け付けた前記プレビュー画像に対する処理内容に応じて、前記簡易プレビュー画像の生成を行うか中止するかを決定する、
ことを特徴とする請求項８記載のプログラム。
【請求項１１】
画像データに対して各種処理を施した結果を示していて表示工程に表示されているプレビュー画像に対する各種処理を受け付ける機能設定受付工程と、
前記プレビュー画像に対する処理を受け付けた場合、受け付けた処理を当該プレビュー画像に対して施した簡易プレビュー画像を生成する簡易プレビュー生成工程と、
生成された前記簡易プレビュー画像を前記表示工程に表示する簡易プレビュー表示工程と、
前記プレビュー画像に対する処理を受け付けた場合、受け付けた処理を前記画像データに対して施したプレビュー画像を生成するプレビュー生成工程と、
前記プレビュー画像が生成された後に、前記表示工程に表示されている前記簡易プレビュー画像を当該プレビュー画像に置き換える画像置き換え工程と、
を含むことを特徴とするプレビュー画像表示方法。
【発明の詳細な説明】
【技術分野】
【０００１】
本発明は、プレビュー画像を表示する情報処理装置、プログラムおよびプレビュー画像表示方法に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えたいわゆるＭＦＰ（Multi Function Peripheral）と称される複合機が用いられている。
【０００３】
この種の複合機にあっては、余白サイズなどの各種画像処理に関する設定、スタンプ押印処理、ステープル処理あるいはパンチ孔あけ処理といった仕上げ処理に関する設定など、様々な機能に関する設定をユーザは行うことができる。
【０００４】
しかしながら、従来の複合機では、このような仕上げ機能を設定してコピーを開始すると、印刷結果を得るまで仕上がり状態を確認できない。例えば、パンチ孔をあけた仕上がり状態において、パンチ孔の位置と出力画像とが重なっていたとしても、実際に印刷してみるまで結果を知ることができないため、ミスコピーとなり、用紙を無駄に使用してしまうという問題が生じる。
【０００５】
そこで、このような問題を解決するために、実際のコピー印刷に先だって、プレスキャンした原稿イメージに対して仕上げ機能などの各種機能による処理を施した仕上がり状態のプレビュー画像を表示し、必要に応じて印刷の設定を変更することができる情報処理装置が特許文献１で提案されている。
【０００６】
ところで、複合機の操作部のプレビュー表示上で各種機能設定を行い、その設定を反映したプレビュー画像を表示し、仕上がり状態を確認した後に印字するような場合、仕上がり状態は実際の印字状態に近いものが望ましいが、プレビュー画像に対して行った設定を元画像データに対して行い、処理後の画像データからプレビュー画像を作成して表示することになるため、処理時間が長くなってしまうという問題がある。
【０００７】
そこで、特許文献２では、複数の画質調整にかかる設定データ用のプレビュー画像をあらかじめ生成しておき、設定変更後のプレビュー表示を高速にする方式が提案されている。
【０００８】
【特許文献１】特開２００１−６７３４７号公報
【特許文献２】特開２００２−２０４３６５号公報
【発明の開示】
【発明が解決しようとする課題】
【０００９】
しかしながら、特許文献２で提案されている方式によれば、複数の画質調整にかかる設定データ用のプレビュー画像をあらかじめ生成して記憶部に記憶しておかなければならないため、大量のメモリ領域や高速なＣＰＵ（Central Processing Unit）を必要とし、コスト高になるとともに、複数の画質調整や各種機能にかかる設定データ用のプレビュー画像をあらかじめ生成することは、非効率的である。
【００１０】
本発明は、上記に鑑みてなされたものであって、効率良くプレビュー表示の高速化を図ることができる情報処理装置、プログラムおよびプレビュー画像表示方法を提供することを目的とする。
【課題を解決するための手段】
【００１１】
上述した課題を解決し、目的を達成するために、請求項１にかかる発明の情報処理装置は、画像データに対して各種処理を施した結果を示していて表示手段に表示されているプレビュー画像に対する各種処理を受け付ける機能設定受付手段と、前記プレビュー画像に対する処理を受け付けた場合、受け付けた処理を当該プレビュー画像に対して施した簡易プレビュー画像を生成する簡易プレビュー生成手段と、生成された前記簡易プレビュー画像を前記表示手段に表示する簡易プレビュー表示手段と、前記プレビュー画像に対する処理を受け付けた場合、受け付けた処理を前記画像データに対して施したプレビュー画像を生成するプレビュー生成手段と、前記プレビュー画像が生成された後に、前記表示手段に表示されている前記簡易プレビュー画像を当該プレビュー画像に置き換える画像置き換え手段と、を備える。
【００１２】
また、請求項２にかかる発明は、請求項１記載の情報処理装置において、前記簡易プレビュー生成手段は、操作表示部のＣＰＵ（Central Processing Unit）を使用したソフトウェア処理により実現される。
【００１３】
また、請求項３にかかる発明は、請求項１記載の情報処理装置において、前記簡易プレビュー生成手段は、装置全体の制御を行うシステム制御部のＣＰＵ（Central Processing Unit）を使用したソフトウェア処理により実現される。
【００１４】
また、請求項４にかかる発明は、請求項１ないし３の何れか一記載の情報処理装置において、前記簡易プレビュー生成手段による前記簡易プレビュー画像の生成を中止する簡易プレビュー生成中止手段を備える。
【００１５】
また、請求項５にかかる発明は、請求項４記載の情報処理装置において、前記簡易プレビュー生成中止手段は、前記簡易プレビュー画像の生成の中止を宣言する中止宣言手段のオフ／オンに応じて、前記簡易プレビュー画像の生成を行うか中止するかを決定する。
【００１６】
また、請求項６にかかる発明は、請求項４記載の情報処理装置において、前記簡易プレビュー生成中止手段は、前記機能設定受付手段により受け付けた前記プレビュー画像に対する処理内容に応じて、前記簡易プレビュー画像の生成を行うか中止するかを決定する。
【００１７】
また、請求項７にかかる発明のプログラムは、画像データに対して各種処理を施した結果を示していて表示機能に表示されているプレビュー画像に対する各種処理を受け付ける機能設定受付機能と、前記プレビュー画像に対する処理を受け付けた場合、受け付けた処理を当該プレビュー画像に対して施した簡易プレビュー画像を生成する簡易プレビュー生成機能と、生成された前記簡易プレビュー画像を前記表示機能に表示する簡易プレビュー表示機能と、前記プレビュー画像に対する処理を受け付けた場合、受け付けた処理を前記画像データに対して施したプレビュー画像を生成するプレビュー生成機能と、前記プレビュー画像が生成された後に、前記表示機能に表示されている前記簡易プレビュー画像を当該プレビュー画像に置き換える画像置き換え機能と、をコンピュータに実行させる。
【００１８】
また、請求項８にかかる発明は、請求項７記載のプログラムにおいて、前記簡易プレビュー生成機能による前記簡易プレビュー画像の生成を中止する簡易プレビュー生成中止機能を前記コンピュータに実行させる。
【００１９】
また、請求項９にかかる発明は、請求項８記載のプログラムにおいて、前記簡易プレビュー生成中止機能は、前記簡易プレビュー画像の生成の中止を宣言する中止宣言手段のオフ／オンに応じて、前記簡易プレビュー画像の生成を行うか中止するかを決定する。
【００２０】
また、請求項１０にかかる発明は、請求項８記載のプログラムにおいて、前記簡易プレビュー生成中止機能は、前記機能設定受付機能により受け付けた前記プレビュー画像に対する処理内容に応じて、前記簡易プレビュー画像の生成を行うか中止するかを決定する。
【００２１】
また、請求項１１にかかる発明のプレビュー画像表示方法は、画像データに対して各種処理を施した結果を示していて表示工程に表示されているプレビュー画像に対する各種処理を受け付ける機能設定受付工程と、前記プレビュー画像に対する処理を受け付けた場合、受け付けた処理を当該プレビュー画像に対して施した簡易プレビュー画像を生成する簡易プレビュー生成工程と、生成された前記簡易プレビュー画像を前記表示工程に表示する簡易プレビュー表示工程と、前記プレビュー画像に対する処理を受け付けた場合、受け付けた処理を前記画像データに対して施したプレビュー画像を生成するプレビュー生成工程と、前記プレビュー画像が生成された後に、前記表示工程に表示されている前記簡易プレビュー画像を当該プレビュー画像に置き換える画像置き換え工程と、を含む。
【発明の効果】
【００２２】
本発明によれば、表示手段に表示されているプレビュー画像に対する処理を受け付けた場合、当該プレビュー画像に対して受け付けた処理を施した結果を仮想的に示す簡易プレビュー画像を生成して表示手段に高速に表示し、表示手段に表示されている簡易プレビュー画像は、画像データに対して受け付けた処理を施した結果であるプレビュー画像が生成された後に、当該プレビュー画像に置き換えることにより、最初に処理の軽い方式でプレビュー表示を高速に行い、時間のかかる詳細なプレビュー表示に後で置き換えることにより、効率良くプレビュー表示の高速化を図ることができるので、詳細なプレビュー表示を行う場合でもユーザの不満を極力減らすことができるという効果を奏する。
【発明を実施するための最良の形態】
【００２３】
以下に添付図面を参照して、この発明にかかる情報処理装置、プログラムおよびプレビュー画像表示方法の最良な実施の形態を詳細に説明する。
【００２４】
［第１の実施の形態］
本発明の第１の実施の形態を図１ないし図３に基づいて説明する。本実施の形態は情報処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称される複合機を適用した例である。
【００２５】
図１は、本発明の第１の実施の形態にかかる複合機１０の機能ブロック図である。図１に示す複合機１０は、スキャナ１１、ＡＤＦ（オート・ドキュメント・フィーダ）１１１、スキャナコントローラ１１２、画像記憶部１２、画像処理部１３、プリンタ１４、プリンタコントローラ１４２、仕上げ処理部１４１、操作表示部１５、操作表示制御部１５１、システム制御部１６、および通信制御部１７を備える。また、複合機１０は、通信制御部１７を介してネットワーク１８と接続されている。そして、複合機１０は、原稿１９の画像を読み取って画像処理を施した後、印刷物２０として出力する。
【００２６】
システム制御部１６は、各構成部と接続されていて、複合機１０全体の制御を行うものである。例えば、選択されている用紙サイズに対して適切な走査領域情報をスキャナ１１に提供するなどの制御である。このシステム制御部１６は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００２７】
なお、複合機１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（digital Versatile Disk）等のコンピュータで読み取り可能な記録媒体に記録されて提供されてもよい。この場合、システム制御部１６のＣＰＵが上記記憶媒体からプログラムを読み出して主記憶装置（図示せず）上にロードすることで、複合機１０に各種の機能を実現させる。また、プログラムを、インターネット等のネットワーク１８に接続されたコンピュータ上に格納し、ネットワーク経由でダウンロードさせることにより提供するようにしても良い。または、プログラムをインターネット等のネットワーク経由で提供若しくは配布するようにしても良い。
【００２８】
通信制御部１７は、ＬＡＮ（ローカル・エリア・ネットワーク）やインターネットなどのネットワーク１８と接続され、通信プロトコルに従ってネットワークに接続された他の機器との間で画像データや制御データ等のやり取りを行うものである。
【００２９】
スキャナコントローラ１１２は、システム制御部１６の命令を受け、スキャナ１１を制御する。
【００３０】
スキャナ１１は、スキャナコントローラ１１２に制御され、原稿１９のイメージをデジタル画像データに変換する。なお、ＡＤＦ１１１は、セットされた複数ページの原稿をスキャナ１１の読取位置に１枚ずつ順に繰り出すことができるので、このＡＤＦ１１１を用いることにより、スキャナ１１は複数ページの原稿を連続して自動的に読み込みを行うことができる。また、ＡＤＦ１１１は、用紙の片面に印刷された片面原稿だけでなく、両面に印刷された両面原稿を反転させてスキャナ１１に送り出すことができるので、スキャナ１１に両面原稿を読み込ませることが可能である。
【００３１】
画像記憶部１２は、システム制御部１６の命令を受け、スキャナ１１で読み取った画像データや、ネットワーク１８を介して外部から入力された画像データ等を一時的に保存しておくバッファメモリである。本実施の形態の複合機１０は、自身の備えるスキャナ１１から読み取った画像データ及び、ネットワーク１８を介するなどして外部から入力された画像データのいずれをも処理して画像形成することができる。
【００３２】
画像処理部１３は、スキャナ１１から送られて画像記憶部１２に一時的に保存された多値データに対して、システム制御部１６の命令を受け、γ補正やＭＴＦ補正処理等を施した後、スライス処理やディザ処理のような階調処理を施して２値（または多値）化処理を施す。また、画像処理部１３は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態のプレビュー画像である仕上がりデータの生成処理などを行う。
【００３３】
画像処理部１３は、座標情報取得部１３１と画面情報生成部１３２とを備える。座標情報取得部１３１は、画像記憶部１２に格納された入力画像に関する座標情報を取得する。画面情報生成部１３２は、入力した画像データ及び当該画像データに対する各種の項目入
力に基づく設定処理に従って、後述する表示パネル１５ｂに表示する各種設定処理を施した後の仕上がりデータ（プレビュー画像）を含む仕上がり予想画像情報を生成する。ここで、画面情報生成部１３２が生成する情報を仕上がり予想画像情報と称するのは、以下に述べるように、印刷する仕上がりデータおよび仕上がりデータに関連する設定画面のメニュー項目の入力画面のための情報を生成するので、その２つをまとめて仕上がり予想画像情報と称する。
【００３４】
プリンタコントローラ１４２は、システム制御部１６の命令を受けてプリンタ１４を制御する。
【００３５】
プリンタ１４は、プリンタコントローラ１４２に制御され、画像処理部１３で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４の印刷方式は、電子写真方式のほか、インクジェット方式、昇華型熱転写方式、銀塩写真方式、直接感熱記録方式、溶融型熱転写方式など、様々な方式を用いることができる。
【００３６】
このプリンタ１４は、仕上げ処理部１４１を搭載している。仕上げ処理部１４１は、自動設定あるいはユーザによる設定を受け付けて、印刷処理が施された印刷物２０を部数やページ単位で仕分けを行うソート処理、印刷媒体に対して所定のスタンプを押印するスタンプ処理、複数枚の印刷媒体を揃えてステープルで綴じるステープル処理、あるいは、複数枚の印刷媒体をバインダーやファイルに綴じるためのパンチ孔をあけるパンチ孔処理といった仕上げ処理を行う。
【００３７】
操作表示制御部１５１は、システム制御部１６の命令を受けて操作表示部１５の入出力を制御する。例えば、操作表示制御部１５１は、画像処理部１３によって処理されたデータを、操作表示部１５が備えているタッチパネル１５ａおよび表示パネル１５ｂに出力制御する。より具体的には、操作表示制御部１５１は、生成された仕上がり予想画像情報に従って、表示パネル１５ｂに仕上がりデータを表示させる。また、操作表示制御部１５１は、タッチパネル１５ａからの入力制御を行う。なお、表示パネル１５ｂとタッチパネル１５ａは図面上別々に記載されているが、ここでは一体的に構成する。
【００３８】
タッチパネル１５ａは、パネル上に、電気的あるいは磁気的にポインタの接触する位置を検出する。タッチパネル１５ａに対する指定手段（図示せず）としては、人間の指先、スタイラスペン、その他の接触入力具（以下ポインタと記す）が適用可能である。すなわち、ユーザは、タッチパネル１５ａに対してこのようなポインタを介して接触することによって、印刷設定を含む各種項目を入力する。
【００３９】
なお、本実施の形態においては、タッチパネル１５ａに対する接触入力を例に挙げて説明するが、必ずしも接触入力のみが本発明の実施の形態ではない。例えば、操作表示部１５は、タッチパネル１５ａの他に操作者による物理的なキーの押下を受付けて入力を行うハードキーを備え、印刷実行などの指示を与えるようにしても良い。また、表示パネル１５ｂは、複合機１０が備える専有の表示装置を用いても良い。
【００４０】
操作表示部１５は、操作表示制御部１５１に制御され、タッチパネル１５ａを介して設定内容の入力を受け付け、仕上がりデータや画面の仕上げを設定する設定画面のメニュー項目を表示手段である表示パネル１５ｂに表示する。
【００４１】
また、操作表示部１５は、複合機１０で実行したい機能を設定画面のメニュー項目として表示し、表示されたメニュー項目の中からユーザによる設定入力を受け付けるためのものである（機能設定受付手段）。すなわち、操作表示制御部１５１は、項目の選択が可能な領域に対してポインタがタッチパネル１５ａに接触すると、押圧された部分の座標が検出され、選択可能領域における接触であることが検出されると、該当する項目が選択されたものとして受付ける。例えば、操作表示部１５は、原稿の状態に応じたスキャナ１１における読み取り条件の設定、読み取った画像データに対する画質調整などの加工を行う画像処理部１３における設定、プリンタ１４における印刷条件の設定、あるいは、印刷後の印刷物に対してソート、ステープル、パンチ孔などの仕上げ処理を行う仕上げ処理部１４１などの設定を受け付けるものである。
【００４２】
システム制御部１６は、操作表示制御部１５１を介して上述したような各種設定を受け付けると、画像記憶部１２に記憶されている元画像データに対して画像処理部１３で要求された設定処理を反映させて仕上がりデータ（プレビュー画像）を作成し、操作表示部１５に送って表示させる。
【００４３】
図２は、複合機１０が画像データを入力して生成した仕上がりデータの一例を示す模式図である。タッチパネル１５ａの表示領域４０１の内部に、仕上がりデータ４０２および設定処理項目４０３が表示される。操作者が、表示パネル１５ｂに表示された仕上がりデータを見ながらポインタで接触することによって、タッチパネル１５ａは、表示された仕上がりデータ上の印刷物の仕上がり状態における空間的位置である位置情報の入力を受け付ける。このような場合において、座標情報取得部１３１は、タッチパネル１５ａによって受け付けられた位置情報を解析し、ポインタの接触する画像上での座標情報を取得する。
【００４４】
このような構成により、複合機１０は、実際のコピー印刷に先だって、仕上がりデータ（プレビュー画像）４０２を複合機１０の操作表示部１５が備えている表示パネル１５ｂに表示し、目視でその仕上がりデータを確認した後に実際の印刷を行うことができる。
【００４５】
ところで、複合機１０の操作表示部１５のプレビュー表示上で各種機能設定を行い、その設定を反映した仕上がりデータ（プレビュー画像）４０２を表示パネル１５ｂに表示し、仕上がり状態を確認した後に印字するような場合においては、仕上がり状態は実際の印字状態に近いものが望ましいが、仕上がりデータ（プレビュー画像）４０２に対して行った設定を元画像データに対して行い、処理後の画像データから仕上がりデータ（プレビュー画像）４０２を作成して表示することになるため、処理時間が長くなってしまうという問題がある。
【００４６】
そこで、本実施の形態においては、プレビュー表示上での設定を反映した仕上がりデータ（プレビュー画像）４０２を表示パネル１５ｂに表示するような場合においては、図１に示すように、操作表示部１５に設けられた簡易プレビュー生成手段である簡易プレビュー生成部１５ｃにて簡易的な仕上がりデータ（プレビュー画像）４０２を生成するようにした。より詳細には、簡易プレビュー生成部１５ｃでは、仕上がりデータ（プレビュー画像）４０２に対して処理を施すものであり、例えばスキャナ１１によって実際に読み込んだ画像データは使用しない。
【００４７】
具体的には、仕上げ処理としてパンチ孔あけ処理が選択された場合においては、簡易的な仕上がりデータ（プレビュー画像）４０２として、既に生成されて表示パネル１５ｂに表示されている詳細な仕上がりデータ（プレビュー画像）４０２に対して、パンチ孔を示す２個の"●"を合成して簡易的な（仮想的な）仕上がりデータ（プレビュー画像）４０２とする。これにより、元の画像データに対してパンチ孔を形成して詳細な仕上がりデータ（プレビュー画像）４０２を再度生成する場合と比べて、処理するデータサイズが格段に少なくなることから、仕上がりデータ（プレビュー画像）４０２の高速表示が可能になる。このような簡易プレビュー生成部１５ｃは、操作表示部１５に設けられたＣＰＵ（図示せず）を使用したソフトウェア処理により実現される。
【００４８】
つまり、本実施の形態においては、複合機１０の操作表示部１５のプレビュー表示上で各種機能設定を行い、その設定を反映した仕上がりデータ（プレビュー画像）４０２を表示パネル１５ｂに表示するような場合においては、図３に示すように、簡易プレビュー生成部１５ｃにて簡易的な（仮想的な）仕上がりデータ（プレビュー画像）４０２を生成し、表示パネル１５ｂに高速に表示し（簡易プレビュー表示手段）、システム制御部１６側で要求された設定処理を元画像データに反映させた仕上がりデータ（プレビュー画像）４０２が作成された後に、表示パネル１５ｂに表示されている仕上がりデータ（プレビュー画像）４０２を置き換える（画像置き換え手段）。これにより、プレビュー表示の高速化が図られている。
【００４９】
このように詳細な仕上がりデータ（プレビュー画像）４０２の表示に先立って、簡易プレビュー生成部１５ｃにて簡易的な仕上がりデータ（プレビュー画像）４０２を生成して表示する点については、画像処理部１３における画像データに対する画質調整処理（例えば、色調変更など）が設定された場合に有効である。画質調整処理は、その処理が重く時間がかかることが考えられるので、詳細な仕上がりデータ（プレビュー画像）４０２の表示に先立って、簡易的な仕上がりデータ（プレビュー画像）４０２で高速に処理して表示することは、ユーザの待ち時間を減らすという点で、非常に有効である。
【００５０】
このように本実施の形態によれば、表示パネル１５ｂに表示されているプレビュー画像４０２に対する処理を受け付けた場合、当該プレビュー画像４０２に対して受け付けた処理を施した結果を仮想的に示す簡易的な（仮想的な）プレビュー画像４０２を簡易プレビュー生成部１５ｃで生成して表示パネル１５ｂに高速に表示し、表示パネル１５ｂに表示されている簡易的な（仮想的な）プレビュー画像４０２は、画像データに対して受け付けた処理を施した結果であるプレビュー画像４０２が生成された後に、当該プレビュー画像４０２に置き換える。これにより、最初に処理の軽い方式でプレビュー表示を高速に行い、時間のかかる詳細なプレビュー表示に後で置き換えることにより、効率良くプレビュー表示の高速化を図ることができるので、詳細なプレビュー表示を行う場合でもユーザの不満を極力減らすことができる。
【００５１】
なお、本実施の形態においては、操作表示部１５に簡易プレビュー生成部１５ｃを設けるようにしたが、これに限るものではなく、操作表示部１５のＣＰＵの処理能力が低い場合には、処理能力が高いシステム制御部１６のメインＣＰＵを使用して簡易プレビュー生成部１５ｃを構成するようにしても良い。
【００５２】
［第２の実施の形態］
次に、本発明の第２の実施の形態を図４および図５に基づいて説明する。なお、前述した第１の実施の形態と同じ部分は同じ符号で示し説明も省略する。
【００５３】
本実施の形態においては、図４に示すように、操作表示部１５の表示パネル１５ｂに表示する仕上がりデータ（プレビュー画像）４０２を、簡易的なプレビュー画像とするか詳細なプレビュー画像とするかを選択するキーＫ１，Ｋ２を表示し、タッチパネル１５ａを介していずれかのキーＫ１，Ｋ２を選択可能としたものである。すなわち、操作表示部１５の表示パネル１５ｂに表示する仕上がりデータ（プレビュー画像）４０２を、詳細なプレビュー画像とする選択するキーＫ２（中止宣言手段）が操作された場合には、簡易プレビュー生成部１５ｃによる簡易的な（仮想的な）プレビュー画像の生成を中止することになる（簡易プレビュー生成中止手段）。
【００５４】
次に、システム制御部１６のＣＰＵがＲＯＭに格納されたプログラムに基づいて動作することにより実現される特徴的な処理であるプレビュー画像切替処理について説明する。
【００５５】
図５は、プレビュー画像切替処理の流れを示すフローチャートである。図５に示すように、プレビュー画像切替処理は、簡易的なプレビュー画像とするキーＫ１と、詳細なプレビュー画像とするキーＫ２との何れかが操作されて設定が完了していることを条件として（ステップＳ１）、機能設定後のプレビュー画像の生成指示を受けると、簡易的なプレビュー画像が設定されている場合には（ステップＳ２のＹｅｓ）、操作表示制御部１５１を介して操作表示部１５の簡易プレビュー生成部１５ｃを制御して簡易的な仕上がりデータ（プレビュー画像）４０２を生成して（ステップＳ３）、生成された仕上がりデータ（プレビュー画像）４０２を操作表示部１５の表示パネル１５ｂに表示する（ステップＳ４）。
【００５６】
一方、詳細なプレビュー画像が設定されている場合には（ステップＳ２のＮｏ）、詳細な仕上がりデータ（プレビュー画像）４０２を生成して（ステップＳ５）、生成された仕上がりデータ（プレビュー画像）４０２を操作表示部１５の表示パネル１５ｂに表示する（ステップＳ４）。
【００５７】
このように本実施の形態によれば、簡易プレビュー画像の生成を中止することができるようにしたことにより、使い勝手の向上を図ることができる。
【００５８】
なお、本実施の形態においては、キーＫ１，Ｋ２のキー入力によりプレビュー画像を切り替えるようにしたが、これに限るものではなく、設定内容でプレビュー画像を切り替えるようにしても良い。例えば、パンチ孔やステープル処理などの位置情報が重要で、出力時の印字状態に影響を与えないものは簡易的なプレビュー画像を生成し、出力時の印字状態が重要となる（色調変更など）場合には詳細なプレビュー画像を生成するようにしても良い。逆に、色調変更などは処理が重く時間がかかることが考えられるので、処理の重いものは簡易的なプレビュー画像を生成し、処理の軽いものは詳細なプレビュー画像を生成するようにしても良い。
【図面の簡単な説明】
【００５９】
【図１】本発明の第１の実施の形態にかかる複合機の機能ブロック図である。
【図２】複合機が画像データを入力して生成した仕上がりデータの一例を示す模式図である。
【図３】プレビュー画像表示処理の流れを概略的に示す説明図である。
【図４】本発明の第２の実施の形態にかかる簡易的なプレビュー画像とするか詳細なプレビュー画像とするかを選択するキーを示す平面図である。
【図５】プレビュー画像切替処理の流れを示すフローチャートである。
【符号の説明】
【００６０】
１０      情報処理装置
１５      操作表示部
１５ｂ    表示手段
１５ｃ    簡易プレビュー生成手段
１６      システム制御部
Ｋ２      中止宣言手段
【図１】
2007185946.tif 000003
【図２】
2007185946.tif 000004
【図３】
2007185946.tif 000005
【図４】
2007185946.tif 000006
【図５】
2007185946.tif 000007